(57)【要約】【課題】  属性変更時に同様の属性をもつ関連ファイルを属性の履歴情報と、所定の条件に基づいて抽出して同様に処理するファイルサーバ、ファイル属性管理方法およびファイル属性管理プログラムを提供する。【解決手段】  ファイルサーバ（１）は、ファイル（１２１）の属性を属性管理部（１７）により属性履歴管理テーブル（１２２）に記憶し、操作表示部（１０）における属性変更操作時に関連ファイルを抽出する条件を関連ファイル抽出条件（１２５）に記憶する。属性検出部（１７２）にて属性の変更操作/を検出すると、属性履歴作成部（１７３）によって変更した属性を属性履歴管理テーブル（１２２）に登録し、属性検索部（１７１）により関連ファイル抽出条件（１２５）に一致するファイルをファイルサーバ記憶部（１２）から抽出し、属性変更候補表示制御部（１７４）によって操作表示部（１０）に抽出結果を出力する。  【選択図】  図２
2005157461.tif 000002
【特許請求の範囲】
【請求項１】
ネットワーク上で共有されるファイルに所定の属性を付与して管理するファイルサーバであって、
前記ファイルに対する所定の操作にて変更された変更属性を検出する属性変更検出手段と、
前記属性変更検出手段にて検出した前記変更属性をファイル毎の属性履歴情報に蓄積して管理する属性履歴管理手段と、
前記属性変更検出手段にて検出した変更属性を前記属性履歴情報内に保持するファイルを抽出して表示部に表示する関連ファイル抽出手段と、
前記関連ファイル抽出手段にて表示されたファイルのうち所望のファイルの属性を前記属性変更検出手段にて検出した前記変更属性にて選択的に変更し、該変更した属性を前記属性履歴管理手段により前記属性履歴情報に蓄積して管理する
ことを特徴とするファイルサーバ。
【請求項２】
前記所定の属性は、
前記ファイルの格納位置を示す識別情報を少なくとも含み、
前記属性変更検出手段は、前記格納位置の変更により属性の変更を検出する
ことを特徴とする請求項１記載のファイルサーバ。
【請求項３】
ネットワーク上で共有されるファイルに所定の属性を付与して管理するファイルサーバのファイル属性管理方法であって、
属性変更検出手段により前記ファイルに対する所定の操作にて変更された変更属性を検出し、
属性履歴管理手段により前記属性変更検出手段にて検出した前記変更属性をファイル毎の属性履歴情報に蓄積して管理し、
関連ファイル抽出手段により前記属性変更検出手段にて検出した変更属性を前記属性履歴情報内に保持するファイルを抽出して表示部に表示し、
前記関連ファイル抽出手段にて表示されたファイルのうち所望のファイルの属性を前記属性変更検出手段にて検出した前記変更属性にて選択的に変更し、該変更した属性を前記属性履歴管理手段により前記属性履歴情報に蓄積して管理する
ことを特徴とするファイル属性管理方法。
【請求項４】
ネットワーク上で共有されるファイルに所定の属性を付与して管理するファイルサーバのプログラムであって、
前記ファイルに対する所定の操作にて変更された変更属性を検出するステップと、
前記属性変更検出手段にて検出した前記変更属性をファイル毎の属性履歴情報に蓄積して管理するステップと、
関連ファイル抽出手段が前記属性変更検出手段にて検出した変更属性を前記属性履歴情報内に保持するファイルを抽出して表示部に表示するステップと、
前記関連ファイル抽出手段にて表示されたファイルのうち所望のファイルの属性を前記属性変更検出手段にて検出した前記変更属性にて選択的に変更し、該変更した属性を前記属性履歴管理手段により前記属性履歴情報に蓄積して管理するステップを具備する
ことを特徴とするファイル属性管理プログラム。
【発明の詳細な説明】
【技術分野】
【０００１】
本発明は、ファイルサーバにてファイルの属性を管理するファイルサーバ、ファイル属性管理方法およびファイル属性管理プログラムに関し、特に、ファイルの属性を変更した際、同様の属性をもつ関連ファイルのメンテナンスを容易にするファイルサーバ、ファイル属性管理方法およびファイル属性管理プログラムに関する。
【背景技術】
【０００２】
ファイルの属性管理に関する技術として、特許文献１記載の「リンク情報管理システム」が開示されている。
【０００３】
特許文献１の発明は、複合文書を構成する文書間のリンク情報をデータベース化して管理し、ファイルの操作を検出する度に、データベース化したリンク情報を精査して確認する構成によって、複合文書を作成する場合のファイル間のリンク情報を管理し、リンク関係にあるファイルが変更、削除される場合にも複合文書の表示における不都合発生を防止することを目的とするものである。
【特許文献１】特開２００１−０８４２４７号公報。
【発明の開示】
【発明が解決しようとする課題】
【０００４】
ところで、上記特許文献１の発明のように、複数の関連ファイルもつ複合文書の属性を管理する場合、ユーザは、関連するファイル間のリンク関係を明示的に示してシステムに側に指定し、システム処理側においては、指定されたリンク情報を登録して監視する必要がある。
【０００５】
これに伴い、ファイル管理の構成は、リンク情報の付け替え処理やリンク情報を破壊する不正なファイル操作に対する警告処理などがファイル処理に追加された複雑な構成となる。
【０００６】
このため、関連文書を持たないファイルにするファイル操作を実施する場合でも、上記のリンク情報の有無を判断する処理、新たなリンク情報の監視処理がに実行されるため、ファイル操作における処理のオーバーヘッドが増加するといった問題が生じた。
【０００７】
関連文書のリンク関係を密にして文書管理を行うことは、リンク関係が設定された文書においては確実に処理されるといったメリットがある。
【０００８】
一方、属性の管理構成に変更が生じた場合、同様の属性設定を持つファイルを管理者等が同様に特定して変更処理を繰り返して実施しなければならないといった問題が生じた。
【０００９】
そこで、本発明は、文書間のリンク関係を疎として取り扱うことを前提に、あるファイルの属性変更操作をトリガーとし、同様の属性を属性履歴にもつ関連ファイルを、管理者もしくはオペレータが設定する抽出条件に基づいて処理対象候補として抽出し、同様の属性変更処理を行うファイルを取捨選択して処理することができるファイルサーバ、ファイル属性管理方法およびファイル属性管理プログラムを提供することを目的とする。
【課題を解決するための手段】
【００１０】
上記目的を達成するために、請求項１の発明は、ネットワーク上で共有されるファイルに所定の属性を付与して管理するファイルサーバであって、ファイルに対する所定の操作にて変更された変更属性を検出する属性変更検出手段と、属性変更検出手段にて検出した変更属性をファイル毎の属性履歴情報に蓄積して管理する属性履歴管理手段と、属性変更検出手段にて検出した変更属性を属性履歴情報内に保持するファイルを抽出して表示部に表示する関連ファイル抽出手段と、関連ファイル抽出手段にて表示されたファイルのうち所望のファイルの属性を属性変更検出手段にて検出した変更属性にて選択的に変更し、変更した属性を属性履歴管理手段により属性履歴情報に蓄積して管理することを特徴とする。
【００１１】
また、請求項２の発明は、請求項１の発明において、ファイルの格納位置を示す識別情報を少なくとも含み、属性変更検出手段は、格納位置の変更により属性の変更を検出することを特徴とする。
【００１２】
また、請求項３の発明は、ネットワーク上で共有されるファイルに所定の属性を付与して管理するファイルサーバのファイル属性管理方法であって、属性変更検出手段によりファイルに対する所定の操作にて変更された変更属性を検出し、属性履歴管理手段により属性変更検出手段にて検出した変更属性をファイル毎の属性履歴情報に蓄積して管理し、関連ファイル抽出手段により属性変更検出手段にて検出した変更属性を属性履歴情報内に保持するファイルを抽出して表示部に表示し、関連ファイル抽出手段にて表示されたファイルのうち所望のファイルの属性を属性変更検出手段にて検出した変更属性にて選択的に変更し、変更した属性を属性履歴管理手段により属性履歴情報に蓄積して管理することを特徴とする。
【００１３】
また、請求項４の発明は、ネットワーク上で共有されるファイルに所定の属性を付与して管理するファイルサーバのプログラムであって、ファイルに対する所定の操作にて変更された変更属性を検出するステップと、属性変更検出手段にて検出した変更属性をファイル毎の属性履歴情報に蓄積して管理するステップと、関連ファイル抽出手段が属性変更検出手段にて検出した変更属性を属性履歴情報内に保持するファイルを抽出して表示部に表示するステップと、関連ファイル抽出手段にて表示されたファイルのうち所望のファイルの属性を属性変更検出手段にて検出した変更属性にて選択的に変更し、変更した属性を属性履歴管理手段により属性履歴情報に蓄積して管理するステップを具備することを特徴とする。
【発明の効果】
【００１４】
本発明のファイルサーバ、ファイル属性管理方法およびファイル属性管理プログラムを適用することにより、特定のファイルに対する属性の変更操作をトリガーとして関連する属性を属性履歴に持ったファイルを処理候補として抽出し、同様の属性の変更操作を行うことができる。
【００１５】
これにより、ファイルの属性管理の操作を簡便化し、関連ファイルに対する属性の変更漏れを防止することができる。
【００１６】
また、ファイルの属性およびファイル操作に関する情報を履歴管理し、ファイル操作時における関連ファイルの抽出条件を属性履歴、操作履歴に基づいてファイルの管理状況の変化に応じて適宜設定、変更することによってファイルのリンク関係を疎としたシンプルな構成にすることができる。
【００１７】
これにより、ファイル操作時のオーバーヘッドを低減することができる。
【発明を実施するための最良の形態】
【００１８】
以下、本発明のファイルサーバ、ファイル属性管理方法およびファイル属性管理プログラムの実施の形態について添付図面を参照して詳細に説明する。
【００１９】
図１は、本発明に係わるファイルサーバがファイルの属性を管理する場合の例として、属性の管理体系をフォルダの階層構造に適用して管理し、各ファイルは、割当られた属性に対応するフォルダに格納されて管理されることを概略的示したモデル図である。
【００２０】
図１（Ａ）は、フォルダＣ１に対応する属性をもつ文書Ａ、フォルダＣ２に対応する属性をもつ文書Ｂ、文書Ｃがあることを示す。
【００２１】
また、本発明のファイルサーバは、文書属性を履歴管理する構成を有し、例えば文書Ａにおいては、過去にフォルダＣ２に対応する属性が設定（フォルダＣ２に格納）されていたことを示している。
【００２２】
図１（Ａ）の状態において、属性変更対象文書４である文書Ｃの属性をフォルダＣ３で管理する属性に変更したときのファイルサーバの処理は次の流れとなる。
【００２３】
変更前属性フォルダ３１に設定された属性をもつ属性変更対象文書４（文書Ｃ）を変更後属性フォルダ３２に設定された属性に変更する操作を行う（図１（Ｂ））と、予め設定された関連ファイルの抽出条件として属性変更対象文書４と同一の属性を現在の属性もしくは属性履歴に持つファイルを抽出する条件が設定されている場合、属性変更関連ファイル４１（文書Ａ、文書Ｂ）においても同様の属性変更が必要であると判断し、文書Ａの属性変更処理が完了すると同時に、同様の属性処理の候補となる属性変更関連ファイル４１（文書Ａ、文書Ｂ）の抽出を行う（図１（Ｃ））。
【００２４】
このように、本発明のファイルサーバは、ファイルの属性を履歴管理し、同様の属性の変更処理の対象となる候補ファイルを履歴情報に基づいて抽出して処理することができる。
【００２５】
次に、本発明のファイルサーバの制御構成について説明する。
【００２６】
図２は、本発明に係るファイルサーバの主要な制御構成を示すブロック図である。
【００２７】
図２おいて、ファイルサーバ１は、ファイルサーバ１全体を中枢的に制御するファイルサーバ制御部１１に接続されるファイルサーバ記憶部１２、通信制御部１３、アクセス管理部１４、ディレクトリ管理部１５、文書操作部１６、属性管理部１７、入出力制御部１８、操作表示部１０を具備して制御される。
【００２８】
ファイルサーバ記憶部１２は、ネットワーク２上で共有されるファイル１２１と、ファイル１２１毎に文書登録以降に設定変更された属性の履歴を管理する属性履歴管理テーブル１２２と、ネットワーク２を介してファイルサーバ１に接続する端末によるファイル１２１の操作を履歴情報として蓄積管理するファイル操作履歴１２３と、ファイル１２１の格納するフォルダの識別子および構成と、各フォルダに割当られた属性を管理するディレクトリ管理テーブル１２４と、ファイル１２１に対するファイルアクセスの権を管理するアクセス管理テーブル１２８と、ファイルサーバ１にアクセス可能なユーザを登録し、ログイン時のユーザ認証に関する情報を記憶して管理するユーザ管理テーブル１２６と、ユーザ管理テーブル１２６に登録されたユーザをファイル操作の対象範囲に分けてグループ化して管理するグループ管理テーブル１２７と、属性の変更操作行う際に、同時に属性の変更を必要とする関連ファイルの抽出条件を記憶して管理する関連ファイル抽出条件１２５とをそれぞれ記憶して管理する。
【００２９】
ユーザ・グループ管理部１９は、ファイルサーバ１にアクセスするユーザとユーザのグループを、ユーザ管理テーブル１２６、グループ管理テーブル１２７に登録して管理すると共に、ファイルルサーバに接続する再のユーザ認証、グループ認証を行う。
【００３０】
アクセス管理部１４は、ファイル１２１に対するファイル操作の可否を予め設定したアクセスパターンを用いてユーザ毎に設定してアクセス管理テーブル１２８に登録し、ユーザ毎のファイルアクセスをアクセス管理テーブル１２８に基づいて監視する。
【００３１】
ディレクトリ管理部１５は、ファイルサーバ記憶部１２におけるファイル１２１の格納位置を特定するフォルダの識別情報と、フォルダに割当られた属性の識別子をディレクトリ管理テーブル１２４に登録して管理する。
【００３２】
文書操作部１６は、ネットワーク２に接続された他の措置におけるファイル共有システムと連携し、ファイル１２１に対する登録、削除、複製、移動、参照処理を行う。
【００３３】
属性管理部１７は、ファイルサーバ１にネットワーク２を介して接続される端末を含んで構成される共有ファイルシステム上でファイル１２１を管理する最に必要な属性を設定し、ファイル毎の属性を属性履歴管理テーブル１２２に登録して管理する。
【００３４】
属性管理部１７は、さらに、属性履歴管理テーブル１２２から必要な属性を検索する属性検索部１７１と、文書操作部１６によるファイル操作や、属性管理部１７自身によるファイル１２１の属性を検出する属性検出部１７２と、属性検出部１７２にて検出した変更属性を属性履歴管理テーブル１２２に登録する属性履歴作成部１７３と、属性検出部１７２にて検出したファイル１２１の属性変更を検出した際に、同様の属性変更処理が必要となるファイルを、関連ファイル抽出条件１２５に設定された抽出条件と、属性検索部１７１を始めとする他の制御要素と連携して抽出する属性変更候補表示制御部１７４を具備して属性管理を行う。
【００３５】
入出力制御部１８は、ファイルサーバ１が提供する各種サービスの利用に必要な操作・表示部１０における入力操作を検出し、検出した入力操作に基づく処理結果の出力制御を行う。
【００３６】
特に、ファイル１２１の属性管理を行う場合、ファイルの属性を設定・変更する為の属性設定画面、関連ファイルの抽出条件を設定するための抽出条件設定画面（詳細は後述する）、抽出された関連ファイルを表示してオペレータが必要なファイルを選択し、同様の属性設定処理を行う属性変更候補ファイル表示選択画面（詳細は後述する）等の表示制御を行う。
【００３７】
通信制御部１３は、ファイル転送プロトコル、あるいは、ファイルシステムにおけるファイル共有プロトコルに基づいてネットワーク２を介して接続する端末装置とのファイル転送制御を行う。
【００３８】
次に、図２に示した、ファイルサーバ記憶部１２に記憶される主要なテーブルについてさらに説明する。
【００３９】
図３は、図２に示す属性履歴管理テーブルの登録データの例を示すテーブルレイアウト図である。
【００４０】
図３において、属性履歴管理テーブル１２２に登録して管理される項目は、ファイルサーバ１内でファイルを一意に識別する為の文書ＩＤ、ファイルに設定された属性情報、属性を変更したオペレータの識別情報を示すユーザＩＤ、記録した履歴の世代を特定するために属性の変更が発生した日時を示すタイムスタンプ等が有る。
【００４１】
なお、属性履歴管理テーブル１２２にて管理される項目は、管理する属性の種類に応じて追加、もしくは、データ登録形式を変更して管理することが可能であり、図３のレイアウトに限定されない。
【００４２】
次に、ファイル操作履歴１２３について説明する。
【００４３】
図４は、ファイル操作履歴の登録データの一例を示すテーブルレイアウト図である。
【００４４】
図４において、ファイル操作履歴１２３に登録して管理される項目は、ファイルを識別する文書ＩＤ、ファイルの操作内容を示す操作種別、ファイルを操作したユーザＩＤ、ユーザがグループに登録して管理されている場合のグループＩＤ、操作者に設定されたファイルアクセスのパターン（詳細は後述する）を示すアクセス権、操作時のファイル格納場所を示すファイル位置、ファイルの複製、移動場所を示す移動先、操作日時を示すタイムスタンプがある。
【００４５】
ファイル操作履歴１２３は、図３に示した属性履歴管理テーブルの情報に加えて、同一日に登録したファイル、同一ユーザによる登録文書等、関連ファイルをさらに絞り込み処理や、逆に、対象ファイルを拡張して抽出する検索処理において利用される情報である。
【００４６】
なお、属性履歴管理テーブル１２２と同様に、ファイル操作履歴１２３に登録して管理される項目は、図４に示した項目に以外に、ファイル操作に関する項目を適宜追加変更して管理することが可能であり、本図のレイアウトに限定されない。
【００４７】
次に、上記、ファイル操作履歴１２３の管理項目で説明したアクセス権の管理について説明する。
【００４８】
図５は、ユーザグループ毎にアクセス権を設定した場合におけるアクセス管理テーブルの登録データの例を示すテーブルレイアウトである。
【００４９】
図５において、アクセス管理テーブル１２８に登録して管理する項目は、同一のアクセスパターンを持つユーザグループを識別するグループＩＤ、設定されたアクセスパターンを示すアクセス権、グループに属するユーザの識別子のリストがある。
【００５０】
さらに、アクセス権に設定される情報は、図５（Ｂ）に示すように、ファイル操作毎に設定された操作の可否（○：可、×：不可）の組み合わせに応じて定義された設定パターンを特定する識別子が設定される。
【００５１】
なお、図５は、ユーザグループ毎にアクセス権を設定した例であるが、これ以外に、グループ管理の概念が無い場合には、ユーザ単位でアクセス権を設定する構成にすることも可能であり、図５に示したレイアウトに限定されない。
【００５２】
次に、図２のブロック図に示した関連ファイル抽出条件１２５の設定方法をユーザインタフェースの一例を示して説明する。
【００５３】
図６は、属性変更時における関連ファイルの抽出条件の入力設定画面を示す画面レイアウト図である。
【００５４】
図６において、関連ファイル抽出条件設定画面６は、関連ファイルの抽出条件の表示編集を行う抽出条件編集領域６１、抽出条件編集領域６１にて抽出条件をボタン操作によって編集する為の、ＡＮＤ条件設定ボタン６２１、ＯＲ条件設定ボタン６２２、括弧ボタン１（６２３）、括弧ボタン２（６２４）、抽出条件の元になる予め設定した検索キーの一覧を表示する抽出条件一覧表示部６４、抽出条件一覧表示部６４から必要な検索キーを選択する条件選択ボタン６３１、逆に、抽出条件編集領域６１に設定した検索キーを取り消す条件取消しボタン６３２、抽出条件編集領域６１の抽出条件をファイルサーバ記憶部１２の関連ファイル抽出条件１２５に反映する登録ボタン６６、抽出条件の設定処理を中断して画面を閉じるキャンセルボタン６５を具備する。
【００５５】
関連ファイル抽出条件設定画面６は、管理者によるファイル管理業務中に呼び出して使用したり、属性変更操作中に呼び出して利用することによって関連ファイルの抽出条件をリアルタイムで確認、変更したりすることができる。
【００５６】
なお、関連ファイル抽出条件１２５をメンテナンスできる構成であれば、図６の画面レイアウトおよび入力方法に限定されない。
【００５７】
次に、これまでに説明した制御構成および各テーブルにて管理された情報に基づく属性変更処理を図２に示した制御ブロック図、および図８に示す必要なユーザイタフェースの例を同時に示して説明する。
【００５８】
図７は、本発明に係るファイルサーバにおいて、ファイルの属性変更処理が発生した時の処理手順を示すフローチャートである。
【００５９】
ファイルサーバ１の操作表示部１０において、ユーザが属性変更対象文書４の属性を変更する操作を行うと、ファイルサーバ制御部１１は入出力制御部１８を介して属性変更操作を検出する（ステップＳ１０１）。
【００６０】
ファイルサーバ制御部１１は、検出した属性変更対象文書４の属性変更を属性管理部１７に指示し、文書操作部１６に対して属性変更対象文書４のファイル操作を指示する。
【００６１】
ファイルサーバ制御部１１は、関連ファイル抽出条件１２５をファイルサーバ記憶部１２から取得し（ステップＳ１０２）、属性管理部１７に対して関連ファイルの抽出を指示する（ステップＳ１０３）。
【００６２】
関連ファイルが抽出された場合（ステップＳ１０４でＹＥＳ）、属性管理部１７は、属性変更候補表示制御部１７４に対して、操作表示部１０上に図８に示すような属性変更候補ファイル表示選択画面９の出力指示を行う（ステップＳ１０５）。
【００６３】
図８において、属性変更候補ファイル表示選択画面９の例を示すと、属性変更候補ファイル表示選択画面９は、ステップＳ１０３で抽出された関連ファイルの一覧を候補ファイル一覧表示部９１に表示する。
【００６４】
さらに、候補ファイル一覧表示部９１には、属性変更の対象とするか否かを指定する選択用チェックボックス９２、抽出された文書名とファイルの位置を示すファイル属性表示部９３、オペレータに対して選択の対象とするか否かの判断材料を提供するファイル毎の属性履歴などを表示する属性履歴詳細表示ボタン９４が表示される。
【００６５】
また、属性変更候補ファイル表示選択画面９には、候補ファイルの一括選択もしくは、全選択解除を行う全選択ボタン９５、選択解除ボタン９６、抽出条件を変更したい場合に、図６に示したような関連ファイル抽出条件設定画面６を呼び出す抽出条件設定画面表示用ボタン９７、選択操作完了後に関連ファイルの属性変更をファイルサーバ記憶部１２の属性履歴管理テーブル１２２に反映するための属性変更ボタン９８、処理を中断して画面を終了するキャンセルボタン９９が表示される。
【００６６】
再度、図７のフローチャートに戻り、ファイルサーバ制御部１１は、属性変更候補ファイル表示選択画面９において、一つ以上のファイル選択が入出力制御部１８を介して検出された場合（ステップＳ１０６でＹＥＳ）、属性管理部１７に対して、選択されたファイルの情報を通知して属性の変更を指示し、文書操作部１６に対しては、ファイル格納場所の移動指示、ファイル操作履歴１２３、属性履歴管理テーブル１２２に対する処理結果の反映指示を行う（ステップＳ１０７）。
【００６７】
また、関連ファイルの抽出処理において、該当ファイルが無い場合（ステップＳ１０４でＮＯ）、図８に示した属性変更候補ファイル表示選択画面９において、関連ファイルが一つも選択されなかった場合（ステップＳ１０６でＮＯ）、ファイルサーバ制御部１１は属性変更処理を終了する。
【００６８】
なお、属性の変更操作に伴う、図７に示した関連属性をもつファイルの抽出処理の起動を、システム情報などに設定した所定の条件で判断して選択的に実施する構成を追加してもよい。
【００６９】
また、ステップＳ１０５の処理において、属性変更候補ファイル表示選択画面９上での抽出条件設定画面表示用ボタン９７押下検出時の処理およびエラー処に関しては、本実施の形態における詳細な説明は省略する。
【００７０】
以上が、本発明に係るファイルサーバ、ファイル属性管理方法、ファイル属性管理プログラムの実施の形態の説明である。
【００７１】
なお、図２に示したファイルサーバに対する属性の変更操作は、図２に示したファイルサーバ１の操作表示部１０による操作以外に、ネットワーク２を介して接続する他の装置に図６、図９に示したユーザインタフェースを制御する入出力手段を追加して、ネットワーク経由でのファイル属性の管理操作を行う構成にしてもよい。
【産業上の利用可能性】
【００７２】
本発明のファイルサーバ、ファイル属性管理方法、ファイル属性管理プログラムは、以下に掲げる各システムに適用して利用することができる。
【００７３】
１）文書間の関連を疎として扱うシンプルな属性管理の構成にし、ファイル操作時におけるサーバの処理負荷の増大を抑えることが必要とされる文書管理システム。
【００７４】
２）ファイルの属性管理を簡便な操作で確実に管理する構成が必要とされる文書管理システム。
【００７５】
３）関連属性をもつファイルの抽出条件を、操作時の管理状況に応じて柔軟に処理することが必要とされる文書管理システム。
【図面の簡単な説明】
【００７６】
【図１】本発明のファイルサーバが、フォルダの識別子によってファイルの属性を管理する一例を示すモデル図である。
【図２】本発明のファイルサーバの主要な制御構成を示すブロック図である。
【図３】図２に示した属性履歴管理テーブルの一例を示す示すテーブルレイアウト図である。
【図４】図２に示したファイル操作履歴テーブルの一例を示すテーブルレイアウト図である。
【図５】図２に示したアクセス管理テーブルの一例を示すテーブルレイアウト図である。
【図６】属性変更操作に伴う関連ファイルの抽出条件の設定変更画面を示す画面レイアウト図である。
【図７】本発明のファイルサーバにおける属性変更処理の手順を示すフローチャートである。
【図８】属性変更候補ファイル表示選択画面の一例を示す画面レイアウト図である。
【符号の説明】
【００７７】
１    ファイルサーバ
１０    操作表示部
１１    ファイルサーバ制御部
１２    ファイルサーバ記憶部
１２１    ファイル
１２２    属性履歴管理テーブル
１２３    ファイル操作履歴
１２４    ディレクトリ管理テーブル
１２５    関連ファイル抽出条件
１２６    ユーザ管理テーブル
１２７    グループ管理テーブル
１２８    アクセス管理テーブル
１３    通信制御部
１４    アクセス管理部
１５    ディレクトリ管理部
１６    文書操作部
１７    属性管理部
１７１    属性検索部
１７２    属性検出部
１７３    属性履歴作成部
１７４    属性変更候補表示制御部
１８    入出力制御部
１９    ユーザ・グループ管理部
２    ネットワーク
３１  変更前属性フォルダ
３２  変更後属性フォルダ
４    属性変更対象文書
４１    属性変更関連ファイル
６    関連ファイル抽出条件設定画面
６１    抽出条件編集領域
６２１    ＡＮＤ条件設定ボタン
６２２    ＯＲ条件設定ボタン
６２３    括弧ボタン１
６２４    括弧ボタン２
６３１    条件選択ボタン
６３２    条件取消しボタン
６４    抽出条件一覧表示部
６４１    選択中抽出条件
６５    キャンセルボタン
６６    登録ボタン
８    属性設定画面
９    属性変更候補ファイル表示選択画面
９１    候補ファイル一覧表示部
９２    選択用チェックボックス
９３    ファイル属性表示部
９４    属性履歴詳細表示ボタン
９５    全選択ボタン
９６    選択解除ボタン
９７    抽出条件設定画面表示用ボタン
９８    属性変更ボタン
９９    キャンセルボタン
【図１】
2005157461.tif 000003
【図２】
2005157461.tif 000004
【図３】
2005157461.tif 000005
【図４】
2005157461.tif 000006
【図５】
2005157461.tif 000007
【図６】
2005157461.tif 000008
【図７】
2005157461.tif 000009
【図８】
2005157461.tif 000010